(57)【要約】      （修正有）【課題】年間を通じた予定表を記入することができるとともに、過去の記録を確認することができ、３か月単位のカレンダーシートを４枚重ねて１年分のカレンダーにおいては、３か月の暦を順次表示することができる複合カレンダーを提供する。【解決手段】同一の矩形形状を有する表紙１と第１シート２、第２シート３及び第３シート４を少なくとも含む複合カレンダーであって、前記第１シート２は、該シートの上方部に設けられ、１月から１２月の月表示が横方向に順に印刷された月表示欄２１と、該月表示欄２１の下方部に設けられ、各月毎にその月の１月分の日付け及び対応する曜日の表記が縦方向に順に印刷されたカレンダー部２２並びに該カレンダー部の各日付けに対応して設けられた空白部２３からなるメモ記入欄とで構成される。【選択図】図２
0003118387.tif 000002
【実用新案登録請求の範囲】
【請求項１】
同一の矩形形状を有する第１シート、第２シート及び第３シートを少なくとも含む複合カレンダーであって、
前記第１シートは、該シートの上方部に設けられ、１月から１２月の月表示が横方向に順に印刷された月表示欄と、該月表示欄の下方部に設けられ、各月毎にその月の１月分の日付け及び対応する曜日の表記が縦方向に順に印刷されたカレンダー部並びに該カレンダー部の各日付けに対応して設けられた空白部からなるメモ記入欄とで構成され、
前記第２シートは、３つの行からなり、各行には、それぞれ、１月から４月、５月から８月及び９月から１２月の各カレンダーが横方向に印刷され、
前記第３シートは、４枚のシートからなり、各シートは、それぞれ、１月から３月、４月から６月、７月から９月及び１０月から１２月の各カレンダーが縦方向に印刷されていることを特徴とする複合カレンダー。
【請求項２】
前記第１シート及び第２シートは、横向きにされ、前記第３シートは、縦向きにされていることを特徴とする請求項１に記載の複合カレンダー。
【請求項３】
前記第３シートは、４枚の異なる着色を有するシートからなり、各月の間にミシン目を有して各月毎に切離すことができるようにした請求項１に記載の複合カレンダー。
【請求項４】
前記第３シートは、カレンダー部の各日付けに対応して設けられた空白部からなるメモ記入欄で構成されるようにした請求項３に記載の複合カレンダー。
【考案の詳細な説明】
【技術分野】
【０００１】
本考案は、複合カレンダーに関するものであり、更に詳細には、１月から１２月の月表示が横方向に順に印刷された月表示欄と、各月毎にその月の１月分の日付け及び対応する曜日の表記が縦方向に順に印刷されたカレンダー部と各日付けに設けられた空白部からなる１枚の年単位シートからなる第１シートと１月から４月、５月から８月及び９月から１２月の各カレンダーが横方向に印刷された１枚の年単位シートからなる第２シートと１月から３月、４月から６月、７月から９月及び１０月から１２月の各カレンダーが縦方向に印刷された４枚のシートからなる第３シートとからなる複合カレンダーに関するものである。
【背景技術】
【０００２】
１枚のシートに１年分の月日が印刷されたカレンダーは一般に使用されており、また、日付け欄の空白にメモや予定を記入することができるようにした当月毎のカレンダーも公知である（特開平９−２５４５６８号公報）。更に、３か月単位のカレンダーシートを４枚重ねて１年分のカレンダーシートにしたものも公知である（特開２０００−３４３８５９号公報）。
【特許文献１】特開平９−２５４５６８号公報
【特許文献２】特開平８−７２４３８号公報
【考案の開示】
【考案が解決しようとする課題】
【０００３】
１枚のシートに１年分の月日が印刷されたカレンダーは、予定を記入する欄が設けられていないので、年間を通じた予定表を記入することができず、使用性に欠ける。
【０００４】
また、日付け欄の空白にメモや予定を記入することができるようにした当月毎のカレンダーは、翌月の予定の記入や確認をするためには、当月分のカレンダーをめくる必要があり、利便性に欠け、また、各月別のカレンダーでは過去の月のカレンダーは廃棄しているので、過去の予定表を記入した過去の月のカレンダーは現状のカレンダーにないので、過去の記録を確認することができない。
【０００５】
更に、３か月単位のカレンダーシートを４枚重ねて１年分のカレンダーにおいて、各月毎にミシン目から切り離すようにしたものでは、横方向に３か月の暦を順次表示するようにしているため、横方向に３か月分の暦が順番に配列していないという欠点がある。
【０００６】
本考案は、上記従来技術の欠点を解消するために、年間を通じた予定表を記入することができるとともに、過去の記録を確認することができ、３か月単位のカレンダーシートを４枚重ねて１年分のカレンダーにおいては、下方から上方へ各月毎にミシン目から切り離すようにしたので、３か月の暦を順次表示することができる複合カレンダーを提供するものである。
【課題を解決するための手段】
【０００７】
上記課題を解決するために、本考案は、同一の矩形形状を有する第１シート、第２シート及び第３シートを少なくとも含む壁掛けカレンダーであって、
前記第１シートは、該シートの上方部に設けられ、１月から１２月の月表示が横方向に順に印刷された月表示欄と、該月表示欄の下方部に設けられ、各月毎にその月の１月分の日付け及び対応する曜日の表記が縦方向に順に印刷されたカレンダー部並びに該カレンダー部の各日付けに対応して設けられた空白部からなるメモ記入欄とで構成され、
前記第２シートは、３つの行からなり、各行には、それぞれ、１月から４月、５月から８月及び９月から１２月の各カレンダーが横方向に印刷され、
前記第３シートは、４枚のシートからなり、各シートは、それぞれ、１月から３月、４月から６月、７月から９月及び１０月から１２月の各カレンダーが縦方向に印刷されている複合カレンダーを構成するものである。
【考案の効果】
【０００８】
本考案の複合カレンダーは、第１シート、第２シート及び第３シートを少なくとも含む複合カレンダーに構成したため、年間を通じた予定表を記入することができるとともに、過去の記録を確認することができ、３か月単位のカレンダーシートを４枚重ねて１年分のカレンダーにおいては、下方から上方へ各月毎にミシン目から切り離すようにしたので、３か月の暦を順次表示することができる。また、第３シートは、４枚の異なる着色を有するシートからなり、各月の間にミシン目を有して各月毎に切り離すことができるようにしたので、当月以外の月の予定の管理を視覚的にも容易にすることができる。
【考案を実施するための最良の形態】
【０００９】
以下、本考案の実施例を図面に基づいて説明する。
図面に示すように、複合カレンダーは同一の矩形形状を有する表紙１（図１）と第１シート２（図２）と、第２シート３（図３）と４枚のシートからなる第３シート４（図４Ａ，Ｂ，Ｃ，Ｄ）からなり、図４（Ａ）は１月から３月のカレンダー４１、図４（Ｂ）は４月から６月のカレンダー４２、図４（Ｃ）は７月から９月のカレンダー４３、図４（Ｄ）は１０月から１２月のカレンダー４４を示している。なお、表紙１は、会社名等が印刷されている。
【００１０】
第１シート２は、図２に示すように、シートの上方部には、１月から１２月の月表示が横方向に順に印刷された月表示欄２１と、月表示欄２１の下方部には、各月毎にその月の１月分の日付け及び対応する曜日が縦方向に順に印刷されたカレンダー部２２とカレンダー部２２の各日付けに対応して空白部２３からなるメモ記入欄から構成されている。なお、１月分の日付け及び対応する曜日には、祭日、六曜、九星の文字を印刷してもよい。また、土曜日は青色に、日曜日は赤色に印刷されてもよい。
カレンダー部２２のメモ記入欄は、各日付けに予定事項、メモを記入することができる。
【００１１】
第２シート３は、図３に示すように、３つの行からなり、各行には、それぞれ、１月から４月、５月から８月及び９月から１２月の各月表示欄３１と、各月表示欄３１の下方部には、各月毎に曜日が横方向に順に印刷され、各月毎に各曜日に対応する日付けが横方向に順に印刷されたカレンダー部３２が横方向に印刷されている。
なお、１月分の日付け及び対応する曜日には、祭日、六曜、九星の文字を印刷してもよい。また、土曜日は青色に、日曜日は赤色に印刷されてもよい。
【００１２】
第３シート４は、図４（Ａ），（Ｂ），（Ｃ），（Ｄ）に示すように、４枚のシートからなり、各シートは、それぞれ、１月から３月、４月から６月、７月から９月及び１０月から１２月の各カレンダー４１，４２，４３，４４が縦方向に印刷されている。
第３シート４の各月表示欄４５と、各月の表示欄４５の右方部には、各月毎に曜日が横方向に順に印刷され、各月毎に各曜日に対応する日付けが横方向に順に印刷されたカレンダー部４６が横方向に印刷されている。カレンダー部４６の各日付けには空白部４７を設け、予定事項、メモ等を記入することができる。
また、第３シート４は、４枚の異なる着色を有しており、各月の間にミシン目４８を刻設して、各月毎に切離すことができるようになっている。
なお、１月分の日付け及び対応する曜日には、祭日、六曜の文字を印刷してもよい。また、土曜日は青色に、日曜日は赤色に印刷されてもよい。
【００１３】
本実施形態は、上記のように構成されているので、年間を通じた予定表を記入することができるとともに、過去の記録を確認することができ、第３か月単位のカレンダーシートを４枚重ねた第３シートは、下方から上方へ各月毎にミシン目から切り離すようにしたので、３か月の暦を順次表示することができ、常に２か月先まで月度管理ができるとともに、４枚の異なる着色を有しているので、視覚的にも管理しやすい。
また、当月以外の各月の予定を確認したりメモを記入することが容易であり、数か月に渡るスケジュールを管理しやすい。
更に、同一の矩形形状を有する第１シート、第２シート及び第３シートを少なくとも一体に含む複合カレンダーからなっているので、各月毎に切離すシートもあるが、１月から１２月の年間のカレンダーも残っているので、過去からの経過を一括して表示されるので、年間の管理も容易にできる。
【産業上の利用可能性】
【００１４】
本考案の複合カレンダーは、各月の日付け及び対応する曜日が順に印刷されたカレンダー部と該カレンダー部の各日付けに対応して設けられた空白部からなるメモ記入欄とで構成された部分にミシン目を刻設すれば、それぞれ切り離してメモ用紙として各自が携帯することもできる。
【図面の簡単な説明】
【００１５】
【図１】本考案の実施例の表紙の正面図である。
【図２】本考案の実施例の第１シートの正面図である。
【図３】本考案の１実施例の第２シートの正面図である。
【図４（Ａ）】本考案の１実施例の第３シートの１〜３月のカレンダーの正面図である。
【図４（Ｂ）】本考案の１実施例の第３シートの４〜６月のカレンダーの正面図である。
【図４（Ｃ）】本考案の１実施例の第３シートの７〜９月のカレンダーの正面図である。
【図４（Ｄ）】本考案の１実施例の第３シートの１０〜１２月のカレンダーの正面図である。
【符号の説明】
【００１６】
１      表紙
２      第１シート
３      第２シート
４      第３シート
２１   
月表示欄
２２   
カレンダー部
２３   
空白部
３１   
月表示欄
３２   
カレンダー部
４１   
１月から３月のカレンダー
４２   
４月から６月のカレンダー
４３   
７月から９月のカレンダー
４４   
１０月から１２月各カレンダー
４５   
月表示欄
４６   
カレンダー部
４７   
空白部
４８   
ミシン目
【図１】
0003118387.tif 000003
【図２】
0003118387.tif 000004
【図３】
0003118387.tif 000005
【図４（Ａ）】
0003118387.tif 000006
【図４（Ｂ）】
0003118387.tif 000007
【図４（Ｃ）】
0003118387.tif 000008
【図４（Ｄ）】
0003118387.tif 000009